(57)【要約】【課題】挿貫孔の両側に固定する台座と取付板の各挿貫孔の形状に工夫をして、給水ホースと電気コードとの互いの接触干渉がなく、強固な固定状態を簡便な作業で現出できる水栓装置及び同水栓装置の立壁への取付方法を提供すること。【解決手段】取付部材２０は、立壁Ｗの前面に配置される台座３１と、立壁Ｗの裏面に配置され、台座３１と連結されることにより台座３１と協働して立壁を挟持可能とした取付板２１とを備え、この台座３１及び取付板２１には、給水ホース２が貫通可能なホース挿通部３３，２３と、給水ホース２の幅よりも幅が狭く、且つホース挿通部３３，２３と連通するように連続形成された電気コード挿通部３４，２４とを有する挿通口３２，２２が夫々形成されており、しかも、台座３１及び取付板２１は、ホース挿通部３３，２３に対して電気コード挿通部３４，２４が下方に位置するように、立壁Ｗの取付口１に取付けられることとした。【選択図】図５
2010077736.tif 000002
【特許請求の範囲】
【請求項１】
立壁に設けた取付口に取付けられる水栓装置であって、
吐水口及び所定の電気部品が設けられた水栓本体と、
この水栓本体を前記取付口に取付けるための取付部材と、
前記水栓本体とは別に配設され、前記電気部品と電気的に接続される制御部と、
前記電気部品と前記制御部とを接続する電気コードと、
前記水栓本体へ給水する可撓性の給水ホースと、
を備える水栓装置において、
前記取付部材は、
前記立壁の前面に配置される台座と、前記立壁の裏面に配置され、前記台座と連結されることにより前記台座と協働して前記立壁を挟持可能とした取付板とを備え、
この台座及び取付板には、前記給水ホースが貫通可能なホース挿通部と、前記給水ホースの幅よりも幅が狭く、且つ前記ホース挿通部と連通するように連続形成された電気コード挿通部とを有する挿通口が夫々形成されており、
しかも、当該台座及び前記取付板は、前記ホース挿通部に対して前記電気コード挿通部が下方に位置するように、前記立壁の取付口に取付けられる
ことを特徴とする水栓装置。
【請求項２】
前記台座の中央位置に、前記挿通口が形成されるとともに、前記水栓本体の基部を嵌合可能なボス部を形成し、このボス部の外周であって、
前記取付口に取り付けられた状態において、前記電気コード挿通口の下方に、前記水栓本体を当該台座に固定するために用いられるビスのビス受部が設けられている
ことを特徴とする請求項１記載の水栓装置。
【請求項３】
前記台座及び前記取付板に、弾性体からなる連結体を挿通可能な一対の連結体挿通孔と、前記取付板に螺合する固定ボルトを挿通可能な一対のボルト挿通孔とを夫々設けるとともに、前記連結体挿通孔は前記ホース挿入部の外側に形成し、前記ボルト挿通孔は前記電気コード挿入部の外側に形成している
ことを特徴とする請求項１記載の水栓装置。
【請求項４】
前記取付板における前記一対の連結体挿通孔間の幅は、前記台座における前記一対の連結体挿通孔間の幅よりも広い
ことを特徴とする請求項３記載の水栓装置。
【請求項５】
水栓装置の立壁への取付方法であって、
前記水栓装置は、
吐水口及び所定の電気部品が設けられた水栓本体と、
前記水栓本体とは別に配設され、前記電気部品と電気的に接続される制御部と、
前記電気部品と前記制御部とを接続するために、前記水栓本体に一端が接続された電気コードと、
前記水栓本体へ給水するために、前記水栓本体に一端が接続された可撓性の給水ホースと、
前記水栓本体を前記立壁に形成した取付口に取付けるための取付部材であり、前記給水ホースが貫通可能なホース挿通部と、前記給水ホースの幅よりも幅が狭く、且つ前記ホース挿通部と連通するように連続形成された電気コード挿通部とを有する挿通口が夫々形成された台座及び取付板と、
を備えており、
（１）前記台座と所定の連結体で連結した取付板を、前記取付口に挿通して前記立壁の裏面側に配置し、前記連結体を前記立壁側から縮め、前記台座及び前記取付板を、前記ホース挿通部に対して前記電気コード挿通部が下方に位置するように、前記立壁を挟んで対向状態に保持しつつ、両者を所定の連結具により連結して前記取付口にそれぞれ固定する取付部材設置行程と、
（２）前記台座と前記取付板の両挿通口に、前記立壁の表側から前記電気コードを挿通するとともに、自重により、当該電気コードを前記ホース挿通部の下方に位置した前記電気コード挿通部に配置するコード設置工程と、
（３）前記台座と前記取付板の両ホース挿通部に前記給水ホースを挿通するホース設置工程と、
（４）前記水栓本体を、前記台座に連結固定する水栓本体固定工程と、
（５）前記電気コードの他端を前記制御部と接続するとともに、前記給水ホースの他端を給水源と接続する工程と、
を有することを特徴とする水栓装置の立壁への取付方法。
【発明の詳細な説明】
【技術分野】
【０００１】
本発明は、水栓装置及び同水栓装置の立壁への取付方法に関する。
【背景技術】
【０００２】
従来、水平カウンターに水栓装置を立設固定する構造として、特許文献１及び特許文献２が開示されている。これらは、自動水栓の給水ホースを、または給水ホースと電気コードが水平カウンターの取付口に挿貫され、自動水栓本体の所定個所と接続された構造となっている。
【０００３】
したがって、水平カウンターには、これらの給水ホースや電気コードを挿貫する挿貫口（取付穴）を穿設し、外筒を挿貫口に挿着して、その外筒内に水管などの給水ホースや、給水ホースと電気コードを挿通した構造となっている。
【０００４】
特に、給水ホースと電気コードを挿通する構造においては、外筒中で給水ホースと電気コードとが接触して電気コードに損傷が生起しないように、給水ホースと電気コードとの間にスペーサとしての隔壁を配設する外筒構造が考えられている。例えば、特許文献１に開示されているように、水平カウンターの挿貫孔に挿着する外筒を左右縦２つ割りとして、一方の外筒片中に給水ホースを挿貫し、他方の外筒片の壁中に電気コードを挿貫する配線ガイドを形成したものがあり、これらの左右の外筒片によって、給水ホースと電気コードとが外筒中で接触して電気コードの外表面に損傷を生起し、不用意な電気短絡を生起しないようにしている。
【０００５】
他方、電気コードを有していない給水ホースのみを連結した水栓をカウンターへ取付ける構造においては、特許文献２に示すように、予め水平カウンターの下側面と上側面にそれぞれ固定部材と固定台座を当接して、これらを紐状の連結部材で連結緊締して水平カウンターの上下面を固定台座と固定部材とで挟着した構造とするものがあり、これらは、給水ホースと電気コードとの接触防止の目的はないものであるが、固定台座と固定部材とをいかに簡便な作業で水平カウンターの挿貫孔周辺に挟着固定するかに関する発明であり、予め固定台座と固定部材とを連結部材で一定の緩みの長さで連結し、カウンター下面に当接する固定部材を傾斜させながらカウンターに形成した挿貫孔から押し出しカウンター下方に引出して、固定部材の挿貫孔とカウンターの挿貫孔とを合わせてカウンター下面に固定部材を当接する。しかも、これらの操作は、カウンター上方から連結部材を操作しながらカウンター下方の目視できない状態で行う。次いで、連結部材を緊締しながら固定台座と固定部材とをカウンターに固定する作業に入る。すなわち、挿貫孔同士を合わせながら固定台座をカウンター上面に当接し、連結部材の左右自由端を一体に連結しながら連結部分を徐々に固定台座に近接調整し連結部材の左右自由端を一体に緊締固定すると、固定台座と固定部材とは、カウンター上下面を間に挟んでカウンターに固定された状態となる。
【０００６】
【特許文献１】特開２００６−１４４３３０号公報
【特許文献２】特開２０００−２８２５２５号公報
【発明の開示】
【発明が解決しようとする課題】
【０００７】
しかし、特許文献１は、給水ホースと電気コードが当接して電気コードを損傷するおそれのない構造となっているが、カウンターの挿貫孔に挿貫する外筒の構造が左右縦２つ割りの外筒片を構成するガイド部材と配線ガイドよりなるため、構造が複雑となり、しかも、左右外筒片の密着固定が弛緩した場合、電気コードに弛みが生じてかえって絶縁体の外表面を損傷するおそれがあった。さらに、ガイド部材を水平カウンターの挿貫孔に固定するために、別途用意したアダプタ本体とホルダーにより水平カウンターを上下から挟持してアダプタ本体にガイド部材の下端を連結固定する構造であるため、ガイド部材とアダプタ本体の連結作業も必要となるため作業が煩雑となり作業効率が低下するおそれがあった。
【０００８】
また、特許文献２においては、予め水平カウンターの下側面と上側面にそれぞれ固定部材と固定台座を当接して、これらを紐状の連結部材で連結緊締して水平カウンターの上下面を固定台座と固定部材とで挟着した構造とするものであるから電気コードを伴合わない給水ホースのみの水栓装置においては、取付け作業性が向上するものの、かかる構造において給水ホースと共に電気コードも同時に挿貫孔に挿通しなければならない自動水栓装置やランプなどの電気機能を一部に保持させた通常の水栓装置の場合には、固定台座と固定部材の各挿貫孔に給水ホースと共に電気コードも一体で挿通しなければならないため、給水ホースと電気コードとが干渉接触して電気コード表面の損傷を生起するおそれがあった。
【０００９】
そして、特許文献１、２のいずれにおいても、水栓本体を立壁に突出させた状態で取り付けた構造の水栓装置については一切記載されておらず、たとえ特許文献２に開示された技術を特許文献１に適用したところで、水栓本体を立壁に取り付ける場合、やはりガイド部材や配線ガイドなどは構成が複雑化するし、取付け作業にしても煩雑になってしまう。
【００１０】
この発明は、特に、立壁に片持ち状態で水栓装置を突設状態に取付ける構造において、立壁に形成した取付口の両側に固定する台座と取付板に工夫をして給水ホースと共に電気コードを取付口に挿通する場合に互いの接触がなく、強固な固定状態を簡便な作業で現出し、電気コードの接触を可及的に防止できる水栓装置及びその取付方法を提供して上記課題を解決せんとするものである。
【課題を解決するための手段】
【００１１】
上記目的を達成するため、請求項１に記載の発明は、立壁に設けた取付口に取付けられる水栓装置であって、吐水口及び所定の電気部品が設けられた水栓本体と、この水栓本体を前記取付口に取付けるための取付部材と、前記水栓本体とは別に配設され、前記電気部品と電気的に接続される制御部と、前記電気部品と前記制御部とを接続する電気コードと、前記水栓本体へ給水する可撓性の給水ホースと、を備える水栓装置において、前記取付部材は、前記立壁の前面に配置される台座と、前記立壁の裏面に配置され、前記台座と連結されることにより前記台座と協働して前記立壁を挟持可能とした取付板とを備え、この台座及び取付板には、前記給水ホースが貫通可能なホース挿通部と、前記給水ホースの幅よりも幅が狭く、且つ前記ホース挿通部と連通するように連続形成された電気コード挿通部とを有する挿通口が夫々形成されており、しかも、当該台座及び前記取付板は、前記ホース挿通部に対して前記電気コード挿通部が下方に位置するように、前記立壁の取付口に取付けられることを特徴とする。
【００１２】
請求項２に記載の発明は、請求項１に記載の発明において、前記台座の中央位置に、前記挿通口が形成されるとともに、前記水栓本体の基部を嵌合可能なボス部を形成し、このボス部の外周であって、前記取付口に取り付けられた状態において、前記電気コード挿通口の下方に、前記水栓本体を当該台座に固定するために用いられるビスのビス受部が設けられていることを特徴とする。
【００１３】
請求項３に記載の発明は、請求項１に記載の発明において、前記台座及び前記取付板に、弾性体からなる連結体を挿通可能な一対の連結体挿通孔と、前記取付板に螺合する固定ボルトを挿通可能な一対のボルト挿通孔とを夫々設けるとともに、前記連結体挿通孔は前記ホース挿入部の外側に形成し、前記ボルト挿通孔は前記電気コード挿入部の外側に形成していることを特徴とする。
【００１４】
請求項４に記載の発明は、請求項３に記載の発明において、前記取付板における前記一対の連結体挿通孔間の幅は、前記台座における前記一対の連結体挿通孔間の幅よりも広いことを特徴とする。
【００１５】
請求項５に記載の発明は、水栓装置の立壁への取付方法であって、前記水栓装置は、吐水口及び所定の電気部品が設けられた水栓本体と、前記水栓本体とは別に配設され、前記電気部品と電気的に接続される制御部と、前記電気部品と前記制御部とを接続するために、前記水栓本体に一端が接続された電気コードと、前記水栓本体へ給水するために、前記水栓本体に一端が接続された可撓性の給水ホースと、前記水栓本体を前記立壁に形成した取付口に取付けるための取付部材であり、前記給水ホースが貫通可能なホース挿通部と、前記給水ホースの幅よりも幅が狭く、且つ前記ホース挿通部と連通するように連続形成された電気コード挿通部とを有する挿通口が夫々形成された台座及び取付板と、を備えており、（１）前記台座と所定の連結体で連結した取付板を、前記取付口に挿通して前記立壁の裏面側に配置し、前記連結体を前記立壁側から縮め、前記台座及び前記取付板を、前記ホース挿通部に対して前記電気コード挿通部が下方に位置するように、前記立壁を挟んで対向状態に保持しつつ、両者を所定の連結具により連結して前記取付口にそれぞれ固定する取付部材設置行程と、（２）前記台座と前記取付板の両挿通口に、前記立壁の表側から前記電気コードを挿通するとともに、自重により、当該電気コードを前記ホース挿通部の下方に位置した前記電気コード挿通部に配置するコード設置工程と、（３）前記台座と前記取付板の両ホース挿通部に前記給水ホースを挿通するホース設置工程と、（４）前記水栓本体を、前記台座に連結固定する水栓本体固定工程と、（５）前記電気コードの他端を前記制御部と接続するとともに、前記給水ホースの他端を給水源と接続する工程と、を有することを特徴とする。
【発明の効果】
【００１６】
請求項１に記載の発明によれば、台座及び取付板には、前記給水ホースが貫通可能なホース挿通部と、前記給水ホースの幅よりも幅が狭く、且つ前記ホース挿通部と連通するように連続形成された電気コード挿通部とを有する挿通口が夫々形成されており、しかも、当該台座及び前記取付板は、前記ホース挿通部に対して前記電気コード挿通部が下方に位置するように、前記立壁の取付口に取付けられるようにしたので、水栓装置を立壁に片持ち状態で水平に取付け組み立てる際に、台座及び取付板の挿通口に電気コードと給水ホースを挿通するときは、上方のホース挿通部から電気コードを挿通すれば同電気コードは下方に撓みながら電気コード挿通部に収まり、その上方のホース挿通部に給水ホースを挿通すれば、給水ホースと電気コードが上下に配設された状態で立壁の挿貫孔を挿通することができ、しかも、給水ホースは下方の電気コードとが接触することがなくなるため、立壁への片持ちの水栓本体の取り付けという特殊な形態を利用して、極めて簡単な構造により電気コードの損傷を防止することができる。
【００１７】
請求項２に記載の発明によれば、台座の中央位置に前記挿通口を形成し、その周辺に水栓本体の基部が嵌合可能なボス部を突設し、このボス部の外周であって取付口に取り付けられた状態において電気コード挿通部の鉛直下方となる位置にビス受部を設け、ビスによって台座のボス部に嵌着した水栓本体基部を固定するように構成したので、水栓本体を取付けるビスがこの水栓本体の下方から台座に向けて挿入されることになり、そのビスの挿入部分から水が浸入する危険性を低減でき、また、水栓装置の使用状態である上方からの使用者の目線から外れた見え難い位置であるため意匠性も向上する。また、立壁への片持ち構造でありながら、電気部品やその他の部品等の重量負荷がかかる水栓本体を、確実に立壁で支持することができる
【００１８】
請求項３に記載の発明によれば、一対のボルト挿通孔はホース挿通部の下方に張り出し形成した電気コード挿通部の外側に形成したので、台座及び取付板の中心に可及的に近い位置に可及的に大きな径を有したボルト挿通孔を形成することができる。したがって、立壁に形成された開口面積の小さい取付口の内部空間を有効利用することができる。
【００１９】
請求項４に記載の発明によれば、取付板における一対の連結体挿通孔間の幅は、台座における一対の連結体挿通孔間の幅よりも広くしたので、連結体の締結が容易となり、台座と取付板とを仮固定する際の作業性が向上する。
【００２０】
請求項５に記載の発明によれば、台座と所定の連結体で連結した取付板を、取付口に挿通して立壁の裏面側に配置し、連結体を前記立壁側から縮め、台座及び前記取付板を、ホース挿通部に対して電気コード挿通部が下方に位置するように、立壁を挟んで対向状態に保持しつつ、両者を所定の連結具により連結して取付口にそれぞれ固定するので、取付部材設置工程が円滑にかつ作業性よく行えるとともに、コード設置工程がホース設置工程と別個に行え、作業性を飛躍的に向上させることができる。しかも、電気コード挿通部よりも上方に位置するホース挿通部から先ず電気コードを下撓み状態で設置するので、電気コードと給水ホースとの干渉を避けて電気コードの損傷を防止することができる。
【発明を実施するための最良の形態】
【００２１】
本実施形態に係る水栓装置は、立壁に設けた取付口に取付けられる水栓装置であって、吐水口及び所定の電気部品が設けられた水栓本体と、この水栓本体を前記取付口に取付けるための取付部材と、前記水栓本体とは別に配設され、前記電気部品と電気的に接続される制御部と、前記電気部品と前記制御部とを接続する電気コードと、前記水栓本体へ給水する可撓性の給水ホースと、を備える水栓装置において、前記取付部材は、前記立壁の前面に配置される台座と、前記立壁の裏面に配置され、前記台座と連結されることにより前記台座と協働して前記立壁を挟持可能とした取付板とを備え、この台座及び取付板には、前記給水ホースが貫通可能なホース挿通部と、前記給水ホースの幅よりも幅が狭く、且つ前記ホース挿通部と連通するように連続形成された電気コード挿通部とを有する挿通口が夫々形成されており、しかも、当該台座及び前記取付板は、前記ホース挿通部に対して前記電気コード挿通部が下方に位置するように、前記立壁の取付口に取付けられることとしたものである。
【００２２】
すなわち、立壁に水栓本体が突出した状態で取り付けられる水栓装置であって、立壁に穿設した取付口の両側に固定する台座と取付板との各挿通口の形状を工夫をし、給水ホースと共に電気コードを前記挿通口に挿貫する場合に、互いの接触をなくして電気コードの損傷を防止しつつ、水栓本体を、極めて簡単な作業で立壁に強固に固定することを可能にしたものである。
【００２３】
かかる構成の水栓装置であれば、水栓装置を立壁に片持ち状態で水平に取付け組み立てる際に台座及び取付板の挿通口に電気コードと給水ホースを挿通するとき、上方のホース挿通部から電気コードを挿通すれば同電気コードは下方に撓みながら電気コード挿通部に収まり、その上方のホース挿通部に給水ホースを挿通すれば、給水ホースと電気コードが上下に配設された状態で立壁の挿貫孔を挿通することができ、しかも、給水ホースは径が大であるため下方の電気コード挿通部に干渉することがなく、ホース挿通部に挿通した給水ホースと下方の電気コードとが接触することがなくなり、立壁という特殊な環境と片持ちの水栓本体の取り付けという特殊な形態を利用して簡単な構造により電気コードの損傷を防止することができる。
【００２４】
そのために、水栓装置の立壁への取付方法としては、水栓装置は、吐水口及び所定の電気部品が設けられた水栓本体と、前記水栓本体とは別に配設され、前記電気部品と電気的に接続される制御部と、前記電気部品と前記制御部とを接続するために、前記水栓本体に一端が接続された電気コードと、前記水栓本体へ給水するために、前記水栓本体に一端が接続された可撓性の給水ホースと、前記水栓本体を前記立壁に形成した取付口に取付けるための取付部材であり、前記給水ホースが貫通可能なホース挿通部と、前記給水ホースの幅よりも幅が狭く、且つ前記ホース挿通部と連通するように連続形成された電気コード挿通部とを有する挿通口が夫々形成された台座及び取付板と、を備えており、（１）前記台座と所定の連結体で連結した取付板を、前記取付口に挿通して前記立壁の裏面側に配置し、前記連結体を前記立壁側から縮め、前記台座及び前記取付板を、前記ホース挿通部に対して前記電気コード挿通部が下方に位置するように、前記立壁を挟んで対向状態に保持しつつ、両者を所定の連結具により連結して前記取付口にそれぞれ固定する取付部材設置行程と、（２）前記台座と前記取付板の両挿通口に、前記立壁の表側から前記電気コードを挿通するとともに、自重により、当該電気コードを前記ホース挿通部の下方に位置した前記電気コード挿通部に配置するコード設置工程と、（３）前記台座と前記取付板の両ホース挿通部に前記給水ホースを挿通するホース設置工程と、（４）前記水栓本体を、前記台座に連結固定する水栓本体固定工程と、（５）前記電気コードの他端を前記制御部と接続するとともに、前記給水ホースの他端を給水源と接続する工程とを有するものとしている。
【００２５】
このように、例えば、カウンター上に水栓本体を取付ける場合のように、作業時に必要部材を水平板に載置して一時保管するというような状況も作ることができないため、本来作業性が悪く、作業に関連する必要部材も取扱いにくい状態であるにも拘らず、本実施形態によれば、連結部材を利用して台座と取付板を確実にかつ簡単に立壁の取付口に装着し、なおかつ、その後の水栓装置関連部材の組み付け作業を、電気コードと給水ホースとの干渉を避けつつ、迅速かつ簡便に行うことができ、作業性を飛躍的に向上させることができる。
【００２６】
すなわち、連結部材を利用して台座と取付板を立壁の取付口に装着した後、先ず、電気コードを電気コード挿通部に対して上方に位置するホース挿通部から挿通することにより、電気コードが下方に撓みながら電気コード挿通部に収まって保持され、その後、給水ホースをホース挿通部から挿通すれば、給水ホースと電気コードが上下に配設された状態で立壁の取付口を挿通することになる。給水ホースは径が大であるため、電気コードの先端にコネクタなどが装着されていても、電気コードの挿通口への挿通は容易であり、しかも、給水ホースが下方に位置する電気コードとは接触することがない。
【００２７】
こうして、立壁に片持ちの水栓本体の取り付けるという特殊な場合であっても、電気コードを自重によってホース挿通部から電気コード挿通部に移動させるという、立壁という特殊な形態を利用した簡単な構造及び取付方法によって、電気コードの損傷を防止しつつ、合理的な水栓装置、及びその立壁への取付方法が実現される。
【００２８】
また、本実施形態に係る水栓本体は、前記取付部材を構成する台座の中央位置に、前記挿通口が形成されるとともに、前記水栓本体の基部を嵌合可能なボス部を形成し、このボス部の外周であって、前記取付口に取り付けられた状態において、前記電気コード挿通部の下方となる位置に、前記水栓本体を当該台座に固定するために用いられるビスのビス受部が設けられている。
【００２９】
そのため、水栓本体の基端部を台座に一体的に強固に連設固定でき、したがって、水栓本体を取付けるビスがこの水栓本体の下方から台座に向けて挿入されることになり、そのビスの挿入部分から水が浸入する危険性を低減でき、また、水栓装置の使用状態である上方からの使用者の目線から外れた見え難い位置であるため意匠性も向上する。また、立壁への片持ち構造でありながら水栓本体先端に電気部品や水栓本体を構成する部品等の重量負荷がかかっても簡単な構造で充分に水栓本体の重量負荷を立壁で支持することができる。
【００３０】
また、前記台座及び前記取付板に、弾性体からなる連結体を挿通可能な一対の連結体挿通孔と、前記取付板に螺合する固定ボルトを挿通可能な一対のボルト挿通孔とを夫々設けるとともに、前記連結体挿通孔は前記ホース挿入部の外側に形成し、前記ボルト挿通孔は前記コード挿入部の外側に形成している。
【００３１】
したがって、立壁に形成された開口面積の小さい取付口の内部空間を有効利用することができる。そして、水栓本体を立壁に片持ち支持して水平突出状に固定する構造において最も重要な構成部材となる台座と取付板とさらには立壁との一体連結構造を簡単にかつ強固につくることができる、すなわち、最も取付効果のある位置と言える台座と取付板の可及的中心位置において可及的に断面積の大きい大径のボルトを利用してより強固に取付固定ができる。
【００３２】
また、前記取付板における前記一対の連結体挿通孔間の幅は、前記台座における前記一対の連結体挿通孔間の幅よりも広くしている。
【００３３】
したがって、連結体の締結が容易となり、台座と取付板とを仮固定する際の作業性が向上する。また、連結体を利用して立壁の前方で台座と取付板とを緊締操作する場合に、連結体の両自由端が中央に寄り勝手となるため、緊締作業時に連結体の両自由端を手前に引張る場合において、手前側に狭くなる方向で連結体の両端が寄るので引張り応力が中心方向に向かって集中し、充分な引張り応力を台座と取付板に及ぼすことになり強固な緊締作業が可能となる。
【００３４】
以下、この発明の実施形態の一例を、図面に基づき説明する。図１は本実施形態に係る水栓装置を立壁に施工した状態を示す全体の説明図、図２は取付板及び台座を示す平面図、図３は取付部材の立壁への取付手順を示す断面説明図、図４は本実施形態に係る水栓装置の要部を示す断面図、図５は立壁に取付けた取付部材に電気コード及び給水ホースを挿通する作業手順を示す説明図、図６は水栓装置の要部を示す一部透視斜視図、図７は挿通口の変形例を示す平面図である。
【００３５】
図１に示すように、立壁Ｗには、本実施形態に係る水栓装置Ｍの水栓本体１０が、取付口１に片持ち状態で略水平に取付けられており、水栓本体１０には、立壁Ｗ裏側に配置した給水ホース２と電気コード３とが接続されている。
【００３６】
水栓本体１０は、立壁Ｗの前方に片持ち状態で突出状に配設されており、立壁Ｗの前方で水栓本体１０先端の吐水口１１の下方位置には立壁Ｗに突設した台板１２が水平に配設されており、吐水口１１の下方の台板１２上にはボール１３が配設されている。このボール１３の内底面中央には台板１２の下方に連通した排水管１４が連通連設されており、排水管１４の延設部分は、立壁Ｗを貫通して立壁Ｗの裏側に配設した所定配管に連通連結されている。
【００３７】
水栓装置Ｍは、主たる構成として、前記水栓本体１０と、これに一端がそれぞれ接続された前記給水ホース２及び電気コード３と、さらには、使用者の動作を検知するために、水栓本体１０が備えている電気部品であるセンサ５０（図４参照）の検知動作を制御するためにセンサ５０と電気的に接続された制御部１５とを備えている。なお、水栓本体１０に備える電気部品としては、制御部１５からの指令によって検知動作を制御して使用者の動作を検知して、その信号を制御部１５へ送信するセンサ５０に限らず、使用者により押されたことに伴う操作信号を制御部１５へ送信するだけの押しボタンスイッチ等や、制御部１５からの一方的な指令に基いて通水状態や電源の投入状態の動作状態を表示するＬＥＤ等が挙げられる。
【００３８】
そして、この制御部１５は、立壁Ｗの裏側に取り付けられたシーケンサボックス１６内に収納されている。すなわち、前記水栓本体１０に一端がそれぞれ接続された給水ホース２と電気コード３はシーケンサボックス１６を介して給水源１７と制御部１５とにそれぞれ連設されている。なお、図中、符号１８で示したものは給水ホース２と給水源１７との間に介設した電磁弁であり、この電磁弁１８の開閉動作は前記制御部１５によって制御される。このように、本実施形態に係る水栓装置Ｍは自動水栓として機能するものであり、吐水口１１の下方に差し出した使用者の手をセンサ５０が検知すると、制御部１５が電磁弁１８を制御することにより、自動的に吐水させることができる。
【００３９】
図２は、水栓本体１０を立壁Ｗの取付口１に取付けるための取付部材２０を示す。取付部材２０は、立壁Ｗの裏側に配置される略長方形状の取付板２１と、中央にボス部３８を突設した立壁Ｗの表側に配置される円板状の台座３１とよりなる。
【００４０】
取付板２１は、図２に示すように、少なくとも横幅は立壁Ｗに穿設した取付口１の径よりも大とし、縦幅は、立壁Ｗに穿設した上記取付口１の径よりも小とした形状に構成している。このように縦横の寸法を異ならせた取付板２１の形状は、取付板２１を立壁Ｗの取付口１から裏側へ変位させる際に必要であり、後述する図３に示すように、取付板２１の縦幅を利用して立壁Ｗの取付口１から立壁Ｗの裏側へ挿通させることができるようにしている。
【００４１】
また、取付板２１の中央には、給水ホース２が貫通可能なホース挿通部２３と、前記給水ホース２の幅よりも幅が狭く、且つ前記ホース挿通部２３と連通するように連続形成された電気コード挿通部２４からなる長孔状の挿通口２２が穿設されている。本実施形態では、挿通口２２を逆ひょうたん形に形成しており、上半部の挿通口２２の大径部分２２ａを給水ホース２を挿通することができる径を有するホース挿通部２３とし、下半部の挿通口２２の小径部分２２ｂを、電気コード３を挿通することができる径を有する電気コード挿通部２４としている。本実施形態では、ホース挿通部２３と電気コード挿通部２４との連通部分の幅を挿通口２２の小径部分２２ｂと等しくして、電気コード３がホース挿通部２３と電気コード挿通部２４との間を上下方向に容易に通過可能な形状としている。
【００４２】
さらにまた、電気コード挿通部２４の両側には、１対のボルト挿通孔２５，２５を穿設している。このボルト挿通孔２５，２５は内周に雌ねじ部（図示せず）を備えており、取付板２１と後述する台座３１とをボルト挿通孔２５，２５を挿通するボルト２９，２９(図３（ｃ）参照)を介して一体に連結固定することができるように構成している。さらにはホース挿通部２３の両側には、一対の連結体挿通孔２６，２６を穿設しており、後述する連結体３０により取付板２１と台座３１とを一体に連結可能に構成している。
【００４３】
なお、電気コード挿通部２４が小径の孔であるためホース挿通部２３の両側に比し、同電気コード挿通部２４の両側に大面積部分が形成されるので、ボルト挿通孔２５は可及的に大径で、かつ、取付板２１の可及的中心に配設することができ、後述する台座３１とのボルト連結を可及的中心に近い位置で大径の断面積のボルト２９により確実に、かつ強固に行うことができる。
【００４４】
上記取付板２１における一対の連結体挿通孔２６，２６間の幅Ｌ２は、台座３１における一対の連結体挿通孔３６，３６間の幅Ｌ１よりも広くしている。かかる構成によれば、連結体３０を利用して立壁Ｗの前方で台座３１と取付板２１とを緊締操作する場合に連結体３０の両自由端３０ａ，３０ｂが中央に寄り勝手となり、したがって、緊締作業時に連結体３０の両自由端３０ａ，３０ｂを手前に引張る場合において、手前側に狭くなる方向で連結体３０の両端が寄るので、引張り応力が中心方向に向かって集中し充分な引張り応力を台座３１と取付板２１に及ぼすことになり強固な緊締作業が可能となる効果がある。
【００４５】
次に、取付板２１に対応する台座３１について説明する。図２に示すように、台座３１には、中央に取付板２１の挿通口２２に対応する位置で、かつ、同形状の挿通口３２を穿設しており、挿通口３２は取付板２１と同様に逆ひょうたん形で大径のホース挿通部３３と小径の電気コード挿通部３４とを上下に形成している。上半部の挿通口３２の大径部分３２ａは給水ホース２が挿通される径のホース挿通部３３とし、下半部の挿通口３２の小径部分３２ｂは電気コード３が挿通される大きさの径を有する電気コード挿通部３４としている
【００４６】
また、挿通口３２の両側上下に穿設した一対のボルト挿通孔３５，３５は取付板２１のボルト挿通孔２５，２５と同様に相対する大きさで同位置に配置形成している。但し、このボルト挿通孔２５，２５の内周には雌ねじ部は形成されていない。しかも、台座３１の中央には挿通口３２と連結体挿通孔３６，３６とボルト挿通孔３５，３５の集合群を囲繞する径を有し、水栓本体１０の基部と嵌合するボス部３８を一定長さに突設している。
【００４７】
すなわち、ボス部３８の径は、逆ひょうたん型の挿通口３２とその左右両側の一対の連結体挿通孔３６，３６及び一対のボルト挿通孔３５，３５の集合群よりも大としており、したがって、棒状のボス部３８に、台座３１の挿通口３２及び連結体挿通孔３６及びボルト挿通孔３５が取付板２１の挿通口２２及び連結体挿通孔２６及びボルト挿通孔２５と対応して連通可能に穿設されていることになる。
【００４８】
なお、ボス部３８の他の実施形態として、ボス部３８を中空の筒状に形成して先端に天井板を一体に連設し、天井板に挿通口３２と連結体挿通孔３６，３６及びボルト挿通孔３５，３５を形成して、給水ホース２と連結体３０とボルト２９とが中空のボス内を挿通するようにしてもよい。
【００４９】
なお、上述した取付板２１及び台座３１の挿通口３２，２２の形状としては、本実施形態のような逆ひょうたん形に限定されるものではなく、各種の形状が考えられる。例えば、図７（ａ）に示すように、ホース挿通部２３，３３を、電気コード挿通部２４，３４よりも大きな四角形状とし、電気コード挿通部２４，３４を小さな四角形状としてもよい。また、図７（ｂ）に示すようなホース挿通部２３，３３を、給水ホース２を挿通できるだけの逆台形状とし、電気コード挿通部２４，３４を、給水ホース２よりも小径の電気コード３を挿通できるだけの大きさの四角形状としてもよい。かかる形状とすることで、上述した挿通口２２（３２）と同様の効果を奏する。
【００５０】
さらに、図７（ｃ），（ｄ）に示すように、電気コード挿通部２４，３４を、下方に向けて漸次幅が狭くなるように略Ｖ字形状とすることもできる。
図７（ｃ）に示したものは、ホース挿通部２３，３３を逆台形状とし、電気コード挿通部２４，３４を、略逆三角形状としている。また、図７（ｄ）に示したものは、ホース挿通部２３，３３を、給水ホース２を挿通できるだけの相対的に大径の円形状とし、電気コード挿通部２４，３４を略逆三角形状のとしてもよい。このように、電気コード挿通部２４，３４を、その下端部に向って先細り形状とすることで、同じ取付部材２０でありながら、異なる径からなる種類の異なる電気コード３にも対応可能となり、各種の径の電気コード３に対しても、電気コード挿通部２４，３４の内側面に接触させて確実に保持することが可能となる。
【００５１】
このように、挿通口３２，２２の形状は種々考えられるが、少なくとも、ホース挿通部２３と電気コード挿通部２４との連通部分の幅については、電気コード３が上下方向に容易に通過可能な寸法を確保しておく必要がある。
【００５２】
上述してきた取付板２１及び台座３１は、ホース挿通部２３，３３に対して、電気コード挿通部２４，３４が下方に位置するように、立壁Ｗの取付口１に取付けられるものである。
【００５３】
かかる取付板２１と台座３１とを、立壁Ｗの取付口１を中心として立壁Ｗを挟持する状態で固定するためには、図３に示すように、取付板２１と台座３１との相対する各連結体挿通孔２６，２６，３６，３６に、弾性体からなる連結体３０を挿通して取付板２１と台座３１とを連結するようにしている。連結体３０の各自由端３０ａ，３０ｂは台座３１のボス部３８先端面から突出しており、連結体３０の各自由端３０ａ，３０ｂを緊締していくことができるようになっている。
【００５４】
すなわち、ボス部３８の前面に突出した連結体３０の自由端３０ａ，３０ｂは、一方の自由端３０ｂに形成したワンウェイ結合体３０ｃに他方の自由端３０ａを挿通する。ワンウェイ結合体３０ｃは、連結体３０の締め付け方向にのみワンウェイで引張ることができる構成としており、したがって、他方の連結体３０の自由端をワンウェイ結合体３０ｃから締め付け方向に引張っていくと取付板２１と台座３１とが近接しながら立壁Ｗを挟持する方向で締め付け固定がなされる。
【００５５】
かかる連結体３０の操作手順について、図３（ａ）〜図３（ｃ）を基に説明する。
【００５６】
図３（ａ）に示すように、まず立壁Ｗの表側から取付板２１を傾斜させつつ取付板２１の短い縦幅を利用して、立壁Ｗの取付口１から挿通して取付板２１を立壁Ｗの裏側に位置させる。このとき、取付板２１及び台座３１は、ホース挿通部２３，３３に対して、電気コード挿通部２４，３４が下方に位置する姿勢となっている。
【００５７】
次に、図３（ｂ）に示すように、連結体３０を手前に引いて取付板２１を立壁Ｗの取付口１周辺の立壁Ｗの裏側に当接させる。同時に連結体３０を手前に引張りワンウェイ結合体３０ｃから連結体３０の他方の自由端３０ａを引張っていくと徐々に台座３１が立壁Ｗに近づいていく。
【００５８】
次に、図３（ｃ）に示すように、台座３１は立壁Ｗの前面に当接し、台座３１と取付板２１が立壁Ｗを挟持した状態で立壁Ｗに密着当接して対峙した状態となり、この状態でボルト挿通孔２５，３５を介してボルト２９を挿通して台座３１と取付板２１とをボルト２９，２９で連結固定する。このようにしてボルト２９，２９による台座３１と取付板２１の立壁Ｗ挟持固定が終了すれば、連結体３０を切断して除去する。
【００５９】
以上の手順により、立壁Ｗの取付口１に取付板２１と台座３１とを一体に固定することができる。そして、かかる台座３１のボス部３８に水栓本体１０基部を水平方向に嵌着して連設固定することにより、立壁Ｗへの水栓本体１０の片持ち支持構造が完成する。
【００６０】
ここで、水栓本体１０への電気コード３及び給水ホース２の連結構造について説明する。
図４に示すように、水栓本体１０はケーシング５４内において、先端に斜め下向きの吐水口１１を設けており、さらにその先端には吐水口１１の吐水方向と同じ方向に赤外線照射が可能なセンサ５０が設けられている。
【００６１】
図中、符号５１で示したものは、水栓本体１０内部において、吐水口１１に連通する吐水通路を形成するための吐水部材であり、また、符号５３は水栓本体１０のケーシング５４内に吐水部材５１を固定するための固定ボルトを示しており、ケーシング５４の下面で吐水口１１後方において吐水部材５１に螺入するように構成している。符号５０ａは水栓本体１０のケーシング５４の先端面に嵌入した先端固定部材を示す。
【００６２】
ケーシング５４内において、センサ５０の後端には、センサ基線５５と通電用の電気コード３の先端とが、コネクタ５６を介して接続されていると共に、吐水口１１の吐水部材５１に形成された吐水継手５７の終端には、通水用の給水ホース２の一端をなす先端開口部が嵌着されて一体に連通されている。なお、本実施形態における電気コード３は、複数の単線３ａからなる束線としているが、単線３ａのみの構成であってもよい。
【００６３】
台座３１の後側面には、立壁Ｗの取付口１中に嵌入する円筒部５８を突設しており、円筒部５８の径は、ボス部３８の外径と略同径とし、台座３１を立壁Ｗの取付口１に取付ける作業を行う際の一時係合部材として機能させることができる。符号５９で示したものは、台座３１の裏面に形成したシート部であり、立壁Ｗの表面への密着性を高めている。
【００６４】
ここで、水栓装置Ｍを設置するに際しては、水栓本体１０の内部において、予め、電気コード３の先端をセンサ基線５５と接続しておくと共に、給水ホース２の先端を吐水継手５７と連通連結しておき、電気コード３及び給水ホース２の各終端側を水栓本体１０の基端部から伸延しておく。そして、水栓本体１０基部を台座３１のボス部３８に嵌着する前に、電気コード３及び給水ホース２を立壁Ｗの裏側に通すのである。
【００６５】
具体的には、図５（ａ）に示すように、立壁Ｗの表側に位置した電気コード３の先端に連設したコネクタ（図示しない）を、台座３１のボス部３８のホース挿通部３３から挿通して、さらに取付板２１のホース挿通部２３を通過させて立壁Ｗの裏側へ向って押し入れる。この際、ホース挿通部３３，２３に挿通されて押し込まれた電気コード３は、自重により、ホース挿通部３３，２３より下方に連通形成された電気コード挿通部２４，３４内に落下して、最終的に、小径の電気コード挿通部２４，３４内に収納される。そして、押し込まれた電気コード３は下方へ撓み、先端のコネクタは後にシーケンサボックス１６（図１参照）内の制御部１５と接続されることとなる。
【００６６】
なお、電気コード３の先端に設けられているコネクタの外径は、少なくとも取付板２１と台座３１のホース挿通部２３，３３の最大径よりも小さくしている。したがって、電気コード３を立壁Ｗの裏側へ通す際には、ホース挿通部３３，２３を利用することで、極めて容易に配線することが可能となる。
【００６７】
次いで、図５（ｂ）に示すように、立壁Ｗの表側に位置した給水ホース２の先端を、台座３１のボス部３８のホース挿通部３３から挿通して、さらに取付板２１のホース挿通部２３を通過させて立壁Ｗの裏側へ向って押し入れる。そして、押し込まれた給水ホース２は下方へ撓み、後にシーケンサボックス１６（図１参照）内の電磁弁１８と接続して連通することとなる。
【００６８】
このようにして、給水ホース２は、取付板２１と台座３１の大径のホース挿通部２３，３３に収容された状態で立壁Ｗを貫通し、電気コード３は、取付板２１と台座３１の小径の電気コード挿通部２４，３４に収容された状態で立壁Ｗを貫通した状態となる。
【００６９】
したがって、給水ホース２と電気コード３とは、立壁Ｗを貫通した状態において、お互いに接触干渉する状態が生起しないことになり、給水ホース２との接触干渉により生起する電気コード３表面の損傷を防止することができる。
【００７０】
以上のように、給水ホース２と電気コード３とを立壁Ｗから貫通させた後は、図６に示すように、水栓本体１０のケーシング５４の基端部５４ａを、台座３１のボス部３８外周面に嵌着することによって、水栓本体１０の片持ち支持状態による立壁Ｗへの取付けが行われる。
【００７１】
水栓本体１０の基端下側周面にはビス孔６０が設けられており、ボス部３８の下側周面にはビス受部６１が設けられている。すなわち、ボス部３８の外周であって、電気コード挿通部３４の下方にビス受部６１を設けている。更に詳細に説明すれば、ホース挿通部３３に対して電気コード挿通部３４が鉛直下方となる状態において、その更に鉛直下方位置に相当するボス部３８の外周にビス受部６１が設けられている。従って、台座３１を取り付ける際に、ホース挿通部３３に対して、電気コード挿通部３４及びビス受部６１が鉛直下方となった状態で取り付けることが可能である。
【００７２】
このビス受部６１は、水栓本体１０を台座３１のボス部３８にビス６２により一体固定するためにビス孔状に穿設して形成したものであり、ビス６２先端がビス受部６１に嵌入することによりビス６２を介して水栓本体１０のケーシング５４と台座３１のボス部３８とが強固に一体固定される。なお、ビス受部６１の形状としては特に限定されず、ビス６２の先端の少なくとも一部が挿入状態となり得る凹形状であればよい。
【００７３】
以上説明してきたように、本実施形態に係る水栓装置Ｍは、立壁Ｗに設けた取付口１に取付けられる構成を有するものであって、吐水口１１及びセンサ５０が設けられた水栓本体１０と、この水栓本体１０を前記取付口１に取付けるための取付部材２０と、前記水栓本体１０とは別に配設され、前記センサ５０の動作を制御する制御部１５と、前記センサ５０と前記制御部１５とを接続する電気コード３と、前記水栓本体１０へ給水する可撓性の給水ホース２とを備えている。
そして、かかる構成において、前記取付部材２０は、前記立壁Ｗの前面に配置される台座３１と、前記立壁Ｗの裏面に配置され、前記台座３１と連結されることにより前記台座３１と協働して前記立壁Ｗを挟持可能とした取付板２１とを備え、この台座３１及び取付板２１には、前記給水ホース２が貫通可能なホース挿通部３３，２３と、前記給水ホース２の幅よりも幅が狭く、且つ前記ホース挿通部３３，２３と連通するように連続形成された電気コード挿通部３４，２４とを有する挿通口３２，２２が夫々形成されており、しかも、当該台座３１及び前記取付板２１は、前記ホース挿通部３３，２３に対して前記電気コード挿通部３４，２４が下方に位置するように、前記立壁Ｗの取付口１に取付けられる構成となっている。
【００７４】
かかる構成によれば、水栓装置Ｍを立壁Ｗに片持ち状態で水平に取付け組み立てる際に台座３１及び取付板２１の挿通口３２，２２に電気コード３と給水ホース２を挿通するとき上方のホース挿通部３３，２３から電気コード３を挿通すれば同電気コード３は下方に撓みながら電気コード挿通部３４，２４に収まり、その上方のホース挿通部３３，２３に給水ホース２を挿通すれば、給水ホース２と電気コード３が上下に配設された状態で立壁Ｗの取付口１を挿通することができる。
【００７５】
しかも、給水ホース２は径が大であるため下方の電気コード挿通部３４，２４に干渉することがなく、ホース挿通部３３，２３に挿通した給水ホース２と下方の電気コード３とが接触することがなくなり、立壁Ｗという特殊な環境と片持ちの水栓本体１０の取り付けという特殊な形態を利用して簡単な構造により電気コード３の損傷を防止することができる。
【００７６】
また、台座３１の中央位置に挿通口３２を形成し、その周辺に水栓本体１０の基部が嵌合可能なボス部３８を突設し、このボス部３８の外周であって電気コード挿通部３４の下方にビス受部６１を設け、ビス６２によって台座３１のボス部３８に嵌着した水栓本体１０の基部を固定するように構成したので、水栓本体１０を取付けるビス６２がこの水栓本体１０の下方から台座３１に向けて挿入されることになり、そのビス孔６０から水が浸入する危険性を低減でき、また、水栓装置の使用状態である上方からの使用者の目線から外れた見え難い位置であるため意匠性も向上する。また、水栓本体１０の基端部５４ａを台座３１のボス部３８に一体的に強固に連設固定でき、したがって、立壁Ｗへの片持ち構造でありながら水栓本体１０先端にコネクタ５６やセンサ５０等の電気部品や水栓本体１０を構成する部品等の重量負荷がかかっても簡単な構造で充分に水栓本体１０の重量負荷を立壁Ｗで支持することができる効果がある。
【００７７】
さらに、一対のボルト挿通孔２５，３５はホース挿通部２３，３３の下方に張り出し形成した電気コード挿通部２４，３４の外側に形成したので、台座３１及び取付板２１の中心に可及的に近い位置に可及的に大きな径を有したボルト挿通孔２５，３５を形成することができ、したがって、水栓本体１０を立壁Ｗに片持ち支持して水平突出状に固定する構造において最も重要な構成部材となる台座３１と取付板２１とさらには立壁Ｗとの一体連結構造を簡単にかつ強固につくることができる、すなわち、最も取付効果のある位置と言える台座３１と取付板２１の可及的中心位置において可及的に断面積の大きい大径のボルト２９を利用してより強固に取付固定ができる効果がある。
【００７８】
以下、上述してきた構成からなる水栓装置Ｍを立壁Ｗに取付ける方法について、取付工程の全体にわたって説明する。この取付方法は、（１）取付部材設置行程、（２）コード設置工程、（３）ホース設置工程、（４）水栓本体固定工程、（５）電気コード３及び給水ホース２を接続する接続工程よりなる。
【００７９】
（１）取付部材設置行程では、図３に示すように、台座３１と所定の連結体３０で連結した取付板２１を、取付口１に挿通して立壁Ｗの裏面側に位置させるように配置し、取付板２１を立壁Ｗの取付口１周辺の立壁Ｗの裏側に当接させる。同時に連結体３０を手前に引張りワンウェイ結合体３０ｃから連結体３０の他方の自由端３０ａを引張っていくと徐々に台座３１が立壁Ｗに近づいていき、台座３１は立壁Ｗの前面に当接し、台座３１と取付板２１が立壁Ｗを挟持した状態で立壁Ｗに密着当接した状態となり、台座３１及び取付板２１を、ホース挿通部２３，３３に対して電気コード挿通部２４，３４が下方に位置するように、立壁Ｗを挟んで対向状態に保持する。両者を所定の連結具としての連結体３０により連結して取付口１にそれぞれ固定する。そして、この状態でボルト挿通孔２５，３５を介してボルト２９を挿通して台座３１と取付板２１とをボルト２９，２９で連結固定する。このようにしてボルト２９，２９による台座３１と取付板２１の立壁Ｗ挟持固定が終了すれば、連結体３０を切断して除去する。
【００８０】
（２）コード設置工程では、図５（ａ）に示すように、立壁Ｗの表側に位置した電気コード３の先端に連設したコネクタ（図示しない）を、台座３１のボス部３８より押し込みつつ、取付板２１と台座３１のホース挿通部２３，３３より挿通して、立壁Ｗの裏側へ向って押し入れる。この際、ホース挿通部２３，３３を挿通して押し込まれた電気コード３は、自重により、ホース挿通部２３，３３より下方に連通形成された電気コード挿通部２４，３４内に落下して、最終的に、小径の電気コード挿通部２４，３４内に収納保持され、コード先端は撓んで立壁Ｗの裏側において、下方へ垂下した状態となる。
【００８１】
（３）ホース設置工程では、図５（ｂ）に示すように、立壁Ｗの表側に位置した給水ホース２の先端を台座３１のボス部３８より押し込みつつ、取付板２１と台座３１のホース挿通部２３，３３より挿通する。そして、給水ホース２はホース挿通部２３，３３に収納保持され、ホース先端は撓んで立壁Ｗの裏側において、下方へ垂下した状態となる。
【００８２】
（４）水栓本体固定工程では、図６に示すように、立壁Ｗに突設した台座３１のボス部３８に水栓本体１０の基部を挿入する。次に水栓本体１０のビス孔６０にビス６２を挿入して螺着する。このとき、ビス６２先端が台座３１のボス部３８のビス受部６１に嵌入し、このビス６２を介して水栓本体１０のケーシング５４と台座３１のボス部３８とが強固に一体的に連結固定される。
【００８３】
（５）各電気コード３及び給水ホース２を接続する接続工程では、取付部材２０の挿通口３２，２２から挿通されて立壁Ｗの裏側に伸延している電気コード３の基端部を、シーケンサボックス１６（図１参照）内の制御部１５と接続する。また、同様に、取付部材２０の挿通口３２，２２から挿通されて立壁Ｗの裏側に伸延している給水ホース２の基端をシーケンサボックス１６内の電磁弁１８を介して給水源１７と接続する。
【００８４】
このようにして、水栓本体１０が立壁Ｗに片持ち状態で取り付けられる水栓装置Ｍの設置が完了するのであるが、かかる取付方法によれば、取付部材設置工程が円滑にかつ作業性よく行える。さらに、コード設置工程がホース設置工程と別個に行えるので、可及的に給水ホース２と接触しないように電気コード３を下撓み状態で設置することができ、さらには、水栓本体固定工程は、立壁Ｗへの水栓本体１０の取付作業であるために、作業時に関連する部材の一時保管を水平板に載置するというような状況を作ることができないため、本来、作業性が悪く関連する部材も取扱いにくい状態であるにも拘らず、連結体３０を利用して台座３１と取付板２１を確実にかつ簡単に立壁Ｗの取付口１に装着し、その後の水栓装置関連部材の組み付け作業も迅速かつ簡便に行え、作業性を飛躍的に向上することができる。
【００８５】
以上、本発明の好ましい実施形態について説明したが、本発明は上述してきた各実施形態に限定されるものではなく、特許請求の範囲に記載された本発明の要旨の範囲内において、種々の変形・変更が可能である。
【００８６】
例えば、本実施形態では、給水ホース２及び電気コード３は、立壁Ｗの表側からホース挿通部２３，３３に挿通して立壁Ｗの裏側に押し込む手順としたが、その逆に、立壁Ｗの裏側から表側へ引出すことも考えられる。
【００８７】
すなわち、取付板２１と台座３１とを立壁Ｗの取付口１に固定した後は、先に給水ホース２の基端開口部を予めシーケンサボックス１６内の電磁弁１８（図１参照）と連結しておくとともに、電気コード３の基端を制御部１５と接続しておく。そして、給水ホース２及び電気コード３の各先端を台座３１と取付板２１の挿通口２２，３２を通して立壁Ｗの表側へ引出し、その後、給水ホース２及び電気コード３の各先端を水栓本体１０に連結するのである。
【００８８】
すなわち、立壁Ｗの裏側に位置した電気コード３の先端に連設したコネクタ（図示しない）を取付板２１と台座３１のホース挿通部２３，３３より挿通して、台座３１のボス部３８より電気コード３と共に引出す。
【００８９】
この引出したコネクタ５６は、水栓本体１０のケーシング５４（図４参照）内に収納されたセンサ基線５５と連結されてセンサ５０と電気コード３との接続連結作業を完了するのであるが、このときも、ホース挿通部２３，３３を挿通して引出された電気コード３は、自重により、ホース挿通部２３，３３より下方に連通形成された電気コード挿通部２４，３４内に撓みながら落下して、最終的に、小径の電気コード挿通部２４，３４内に収納されることになる。
【００９０】
次いで、立壁Ｗの裏側に位置した給水ホース２の先端を取付板２１と台座３１のホース挿通部２３，３３より挿通して、台座３１のボス部３８より引出し、中途は、ホース挿通部２３，３３に収納した状態において、給水ホース２の先端を吐水口１１に連通した吐水継手５７と嵌着連通させるのである。
【図面の簡単な説明】
【００９１】
【図１】本発明に係る水栓装置を立壁に施工した状態を示す全体の説明図である。
【図２】取付板及び台座を示す平面図である。
【図３】取付部材の立壁への取付手順を示す断面説明図である。
【図４】本発明に係る水栓装置の要部を示す断面図である。
【図５】立壁に取付けた取付部材に電気コード及び給水ホースを挿通する作業手順を示す説明図である。
【図６】水栓装置の要部を示す一部透視斜視図である。
【図７】挿通口の変形例を示す平面図である。
【符号の説明】
【００９２】
１  取付口
２  給水ホース
３  電気コード
１０  水栓本体
１１  吐水口
１２  台板
１３  ボール
１４  排水管
１５  制御部
１６  シーケンサボックス
１７  給水源
２０  取付部材
２１  取付板
２２  挿通口
２３，３３  ホース挿通部
２４，３４  電気コード挿通部
２５，３５  ボルト挿通孔
２６，３６  連結体挿通孔
３０  連結体
３１  台座
３２  挿通口
５０  センサ
５１  吐水部材
【図１】
2010077736.tif 000003
【図２】
2010077736.tif 000004
【図３】
2010077736.tif 000005
【図４】
2010077736.tif 000006
【図５】
2010077736.tif 000007
【図６】
2010077736.tif 000008
【図７】
2010077736.tif 000009